(57)【特許請求の範囲】
【請求項１】
ディジタルブロードキャスティングシステムにおけるサーバの視聴者測定（ＡＭ）のための方法であって、
指示子をサービスガイドに挿入するステップと、
前記サービスガイドを端末に送信するステップとを有し、
前記指示子は、サービス又はコンテンツのために視聴者測定が許容されるか否かを示し、
前記指示子が前記視聴者測定が許容されることを示す場合、前記視聴者測定は前記端末で許容され、前記指示子が前記視聴者測定が許容されないことを示す場合、前記視聴者測定は前記端末で許容されない
ことを特徴とする方法。
【請求項２】
視聴者測定命令語を生成し、前記視聴者測定命令語を前記端末に送信するステップをさらに有する
ことを特徴とする請求項１に記載の方法。
【請求項３】
前記指示子が前記視聴者測定が許容されることを示す場合、前記端末から前記サービス又はコンテンツに対する視聴者測定データを受信するステップをさらに有する
ことを特徴とする請求項１に記載の方法。
【請求項４】
前記サービスガイドは、サービスフラグメント及びコンテンツフラグメントを有する
ことを特徴とする請求項１に記載の方法。
【請求項５】
前記サービスガイドに指示子を挿入するステップは、前記視聴者測定が前記サービスに対して許容されるか否かを示すためにサービスフラグメントに前記指示子を挿入するステップと、
前記視聴者測定が前記コンテンツに対して許容されるか否かを示すためにコンテンツフラグメントに前記指示子を挿入するステップの中の少なくとも１つをさらに有する
ことを特徴とする請求項４に記載の方法。
【請求項６】
ディジタルブロードキャスティングシステムにおけるサーバであって、
サービスガイドに指示子を挿入する制御部と、前記サービスガイドを端末に送信する送信部と、を有し、
前記指示子は、サービス又はコンテンツのために視聴者測定（ＡＭ）が許容されるか否かを示し、
前記指示子が前記視聴者測定が許容されることを示す場合、前記視聴者測定は前記端末で許容され、前記指示子が前記視聴者測定が許容されないことを示す場合、前記視聴者測定は前記端末で許容されない
ことを特徴とするサーバ。
【請求項７】
前記制御部は視聴者測定命令語を生成し、前記送信部を通じて前記視聴者測定命令語を前記端末に送信する
ことを特徴とする請求項６に記載のサーバ。
【請求項８】
前記指示子が前記視聴者測定が許容されることを示す場合、前記端末から前記サービス又はコンテンツに対する視聴者測定データを受信する受信部をさらに含む
ことを特徴とする請求項６に記載のサーバ。
【請求項９】
前記サービスガイドは、サービスフラグメント及びコンテンツフラグメントを有する
ことを特徴とする請求項６に記載のサーバ。
【請求項１０】
前記制御部は、前記視聴者測定が前記サービスに対して許容されるか否かを示すサービスフラグメントに前記指示子を挿入する動作及び前記視聴者測定がコンテンツに対して許容されるか否かを示すためにコンテンツフラグメントに前記指示子を挿入する動作のうち少なくとも一つを遂行する
ことを特徴とする請求項９に記載のサーバ。
【請求項１１】
ディジタルブロードキャスティングシステムにおける端末の視聴者測定（ＡＭ）のための方法であって、
指示子が含まれたサービスガイドを受信するステップと、
前記指示子に基づいて視聴者測定がサービス又はコンテンツに対して許容されるか否かを決定するステップとを有し、
前記指示子は、前記サービス又はコンテンツのために前記視聴者測定が許容されるか否かを示し、
前記指示子が前記視聴者測定が許容されることを示す場合、前記視聴者測定は前記端末で許容され、前記指示子が前記視聴者測定が許容されないことを示す場合、前記視聴者測定は前記端末で許容されない
ことを特徴とする方法。
【請求項１２】
視聴者測定命令語を受信するステップと、
前記指示子が前記視聴者測定が許容されることを示す場合、前記サービス又はコンテンツのための視聴者測定動作を実行するステップと、
前記サービス又はコンテンツに対する視聴者測定データを報告するステップとをさらに有する
ことを特徴とする請求項１１に記載の方法。
【請求項１３】
前記指示子は、前記サービスガイド内のサービスフラグメント及びコンテンツフラグメントに含まれる
ことを特徴とする請求項１１に記載の方法。
【請求項１４】
前記指示子が前記サービスフラグメントに含まれている場合に、前記視聴者測定が前記サービスに対して許容されるか否かを決定するステップと、
前記指示子が前記コンテンツフラグメントに含まれている場合に、前記視聴者測定が前記コンテンツに対して許容されるか否かを決定するステップとをさらに有する
ことを特徴とする請求項１３に記載の方法。
【請求項１５】
ディジタルブロードキャスティングシステムにおける端末であって、
指示子が含まれたサービスガイドを受信する受信部と、
前記指示子に基づいて視聴者測定（ＡＭ）がサービス又はコンテンツに対して許容されるか否かを決定する制御部と、を有し、
前記指示子は、前記サービス又はコンテンツのために前記視聴者測定が許容されるか否かを示し、
前記指示子が前記視聴者測定が許容されることを示す場合、前記視聴者測定は前記端末で許容され、前記指示子が前記視聴者測定が許容されないことを示す場合、前記視聴者測定は前記端末で許容されない
ことを特徴とする端末。
【請求項１６】
前記制御部は視聴者測定命令語を受信し、前記視聴者測定命令語に基づいて視聴者測定動作を実行し、前記視聴者測定動作に基づいて視聴者測定結果を報告する
ことを特徴とする請求項１５に記載の端末。
【請求項１７】
前記指示子は、前記サービスガイド内のサービスフラグメント及びコンテンツフラグメントに含まれる
ことを特徴とする請求項１５に記載の端末。
【請求項１８】
前記指示子が前記サービスフラグメントに含まれている場合に、前記制御部は、前記視聴者測定が前記サービスに対して許容されるか否かを決定し、
前記指示子が前記コンテンツフラグメントに含まれている場合に、前記制御部は、前記視聴者測定が前記コンテンツに対して許容されるか否かを決定する
ことを特徴とする請求項１７に記載の端末。
【請求項１９】
ディジタルブロードキャスティングシステムにおける端末の視聴者測定（ＡＭ）のための方法であって、
指示子が含まれたサービスガイドを受信するステップと、
前記指示子によって前記視聴者測定が許容されるか否かを示す信号をスマートカードに送信するステップとを含み、
前記指示子は、サービス又はコンテンツのために前記視聴者測定が許容されるか否かを示し、
前記指示子が前記視聴者測定が許容されることを示す場合、前記視聴者測定は前記端末スマートカードで許容され、前記指示子が前記視聴者測定が許容されないことを示す場合、前記視聴者測定は前記スマートカードで許容されない
ことを特徴とする方法。
【請求項２０】
前記指示子は、前記サービスガイド内のサービスフラグメント及びコンテンツフラグメントに含まれる
ことを特徴とする請求項１９に記載の方法。
【請求項２１】
ディジタルブロードキャスティングシステムにおける端末であって、
指示子が含まれたサービスガイドを受信する受信部と、
前記指示子によって視聴者測定（ＡＭ）が許容されるか否かを示す信号をスマートカードに送信する送信部と、を有し、
前記指示子は、サービス又はコンテンツのために前記視聴者測定が許容されるか否かを示し、
前記指示子が前記視聴者測定が許容されることを示す場合、前記視聴者測定は前記スマートカードで許容され、前記指示子が前記視聴者測定が許容されないことを示す場合、前記視聴者測定は前記スマートカードで許容されない
ことを特徴とする端末。
【請求項２２】
前記指示子は、前記サービスガイド内のサービスフラグメント及びコンテンツフラグメントに含まれる
ことを特徴とする請求項２１に記載の端末。
【請求項２３】
ディジタルブロードキャスティングシステムにおけるスマートカードの視聴者測定（ＡＭ）のための方法であって、
端末からサービス又はコンテンツために視聴者測定が許容されるか否かを示す信号を受信するステップと、
前記信号に基づいて前記視聴者測定が許容されるか否かを決定するステップと、を含み、
前記信号は、サービスガイドに含まれた前記視聴者測定が許容されるか否かを示す指示子によって生成され、
前記指示子が前記視聴者測定が許容されることを示す場合、前記視聴者測定は前記スマートカードで許容され、前記指示子が前記視聴者測定が許容されないことを示す場合、前記視聴者測定は前記スマートカードで許容されない
ことを特徴とする方法。
【請求項２４】
前記指示子は、前記サービスガイド内のサービスフラグメント及びコンテンツフラグメントに含まれる
ことを特徴とする請求項２３に記載の方法。
【請求項２５】
前記視聴者測定が許容されるか否かを決定するステップは、
前記指示子が前記サービスフラグメントに含まれている場合に、前記視聴者測定が前記サービスに対して許容されるか否かを決定するステップと、
前記指示子が前記コンテンツフラグメントに含まれている場合に、前記視聴者測定が前記コンテンツに対して許容されるか否かを決定するステップとを有する
ことを特徴とする請求項２４に記載の方法。
【請求項２６】
前記指示子が前記視聴者測定が許容されることを示す場合に、前記サービス又はコンテンツに対する視聴者測定データを報告するステップをさらに有する
ことを特徴とする請求項２３に記載の方法。
【請求項２７】
ディジタルブロードキャスティングシステムにおけるスマートカードであって、
端末からサービス又はコンテンツために視聴者測定が許容されるか否かを示す信号を受信する受信部と、
前記信号に基づいて前記視聴者測定が許容されるか否かを決定する制御部と、を有し、
前記信号は、サービスガイドに含まれた前記視聴者測定が許容されるか否かを示す指示子によって生成され、
前記指示子が前記視聴者測定が許容されることを示す場合、前記視聴者測定は前記スマートカードで許容され、前記指示子が前記視聴者測定が許容されないことを示す場合、前記視聴者測定は前記スマートカードで許容されない
ことを特徴とするスマートカード。
【請求項２８】
前記指示子は、前記サービスガイド内のサービスフラグメント及びコンテンツフラグメントに含まれる
ことを特徴とする請求項２７に記載のスマートカード。
【請求項２９】
前記指示子が前記サービスフラグメントに含まれている場合に、前記制御部は前記視聴者測定が前記サービスに対して許容されるか否かを決定し、
前記指示子が前記コンテンツフラグメントに含まれている場合に、前記制御部は前記視聴者測定が前記コンテンツに対して許容されるか否かを決定すること
を特徴とする請求項２８に記載のスマートカード。
【請求項３０】
前記制御部は、前記指示子が前記視聴者測定が許容されることを示す場合に、前記サービス又はコンテンツに対する視聴者測定データを報告するように構成される
ことを特徴とする請求項２７に記載のスマートカード。
【発明の詳細な説明】
【技術分野】
【０００１】
本発明は、ディジタルブロードキャスティングシステムにおいてユーザが消費するサービス又はコンテンツの消費パターンを測定する視聴者測定（Audience Measurement：以下、“ＡＭ”と称する）で個人のプライバシー（privacy）情報（例えば、人種、宗教、性的指向など）を保証することができる方法に関する。
【背景技術】
【０００２】
ブロードキャストサービス又はコンテンツ提供サービスにおいてユーザの利用又は消費パターンを測定することによりユーザの趣向に適合したコンテンツ又は広告を提供するサービスは、ユーザに合わせたサービスのうちの１つとして幅広く使用されると予想される。このサービスのために必ず実行されるべき基本機能がＡＭである。このようなＡＭの基本機能は、ユーザがどのサービスを、いつ、どこで、どの時間だけ、どんな方法で消費したかを記録するものである。ＡＭ動作は、ＡＭ実行命令語の送信、ＡＭの実行、及びＡＭ実行結果の報告でなされ、ＡＭデータを格納する場所は、コンテンツを消費する機器又はサービスプロバイダーが管理するサーバであり得る。ＡＭは、ユーザが消費するすべてのコンテンツ及びサービスを記録するので、ユーザのすべての個人情報が公開される可能性がある。世界各国では、ユーザが消費するコンテンツ及びサービスにより推測されることができるユーザの特性のうち、特に、人種、宗教、性的指向などを推測することができるデータは記録されるか又は使用されることができないように法で強制しているが、現在のブロードキャストサービス技術では、このような法をサポートすることができる技術がない状況である。
【０００３】
従来技術において、サービスプロバイダーが端末又はスマートカード（Smart Card）を使用してＡＭを実行する場合に、端末又はスマートカードは、ユーザの敏感な特性が公開されるようにするサービス又はコンテンツに対してもＡＭデータを記録する。
【発明の概要】
【発明が解決しようとする課題】
【０００４】
本発明の目的は、少なくとも上述した問題点及び／又は不都合に取り組み、少なくとも以下の便宜を提供することにある。すなわち、本発明の目的は、端末又はスマートカードがユーザの敏感な特性が公開されるようにするサービス又はコンテンツに関連したＡＭデータの記録を防止する方法を提供することにある。
【０００５】
本発明の他の目的は、スマートカードでユーザの敏感な特性を推定するコンテンツ又はサービスに関連したＡＭの実行を防止する方法を提供することにある。
【課題を解決するための手段】
【０００６】
上記のような目的を達成するために、本発明の一態様によれば、ディジタルブロードキャスティングシステムにおける視聴者測定で個人情報を保護するための方法を提供する。上記方法は、サービスプロバイダーが提供するサービス又はコンテンツに対して視聴者測定（ＡＭ）を許容するか又は許容しない指示子を上記サービス又はコンテンツに関連した情報を提供するサービスガイドに挿入するステップと、端末が上記挿入された指示子を受信するステップと、上記端末が上記受信された指示子の内容に基づいてＡＭを実行するステップと、上記端末が上記受信された指示子の内容に基づいてＡＭ機能が設置されたスマートカードに情報を送信するステップと、上記ＡＭ機能が設置されたスマートカードが上記ＡＭ機能が設置されたスマートカードに送信された情報に基づいて上記ＡＭを実行するステップとを含むことを特徴とする。
【０００７】
本発明の他の態様によれば、ディジタルブロードキャスティングシステムにおける視聴者測定（ＡＭ）で個人情報を保護する方法を提供する。上記方法は、サービスプロバイダーがサービス又はコンテンツに関する情報を提供するサービスガイドに上記サービス又はコンテンツの消費形態が測定されることができるか否かを通知する指示子を挿入するステップと、上記ＡＭの機能が端末又はスマートカードに実現される場合に、上記サービス又はコンテンツに対する上記ＡＭが上記指示子に従って実行されることができるか否かを決定するステップとを含むことを特徴とする。
【０００８】
本発明のさらに他の態様によれば、上記ＡＭの機能が上記端末に接続されたスマートカードに実現される場合に、上記方法は、上記端末が上記指示子の内容を上記スマートカードに送信するステップと、上記スマートカードが上記ＡＭを実行する時に、上記サービス又はコンテンツに対する上記ＡＭが上記指示子に従って実行されることができるか否かを決定するステップとをさらに含むことを特徴とする。
【発明の効果】
【０００９】
本発明は、ＡＭを実行するにあたりにユーザの敏感な特性が外部に露出しないようにする方法を提供することを目標にし、ＡＭを実行する端末又はスマートカードがユーザの敏感な特性が外部に露出しないようにＡＭを実行することにより各国の法規で指示しているユーザプライバシーを保証する方法を提案する。
【００１０】
本発明の実施形態の上述した及び他の様相、特徴、及び利点は、以下の添付図面が併用された後述の詳細な説明から、より一層明らかになるだろう。
【図面の簡単な説明】
【００１１】
【図１】本発明が適用されるＡＭを実行するステップを示す図である。
【図２】本発明の第１の実施形態に従ってＡＭが端末に実現される場合を示すフローチャートである。
【図３】本発明の第２の実施形態に従ってＡＭがスマートカードに実現される場合を示すフローチャートである。
【図４】本発明の実施形態に従ってオープンモバイルアライアンスモバイルブロードキャスティングサービス（ＯＭＡ  ＢＣＡＳＴ）のサービスフラグメント（Service Fragment）に挿入したＡＭ許容指示子（AM-allowed indicator）を示す図である。
【図５】本発明の実施形態に従ってＯＭＡ  ＢＣＡＳＴのコンテンツフラグメント（Content Fragment）に挿入されたＡＭ許容指示子を示す図である。
【図６】本発明の実施形態に従って図３のステップ３１２のようにＡＭ許容指示子値を送信する時に使用されるイベントメッセージを示す図である。
【発明を実施するための形態】
【００１２】
以下、本発明の望ましい実施形態を添付の図面を参照して詳細に説明する。添付した図において、同一の構成要素または機能的に類似した構成要素に対しては同一の参照符号及び参照番号を付ける。
【００１３】
なお、以降の説明では、具体的な特定事項を示しているが、これは、本発明のより全般的な理解を助けるべく提供しただけであって、このような特定事項なしでも本発明が実施できることは、当該技術分野における通常の知識を有する者には自明である。そして、本発明を説明するに際し、関連公知機能あるいは構成についての具体的な説明が、本発明の要旨を不要に曖昧にするおそれがあると判断される場合は、その詳細な説明を省略する。
【００１４】
後述する詳細な説明において、上述した技術的課題を達成するための本発明における代表的な実施形態について論議する。また、本発明の説明の便宜のためにモバイルブロードキャストアプリケーションレイヤー技術の標準であるＯＭＡ  ＢＣＡＳＴ（Open Mobile Alliance Mobile Broadcast Service）で定義しているオブジェクトの名称を同一に使用するが、このような標準及び名称が本発明の範囲を限定するのではなく、類似した技術的背景を有するシステムに適用可能である。
【００１５】
図１は、本発明が適用される視聴者測定（Audience Measurement：以下、“ＡＭ”と称する）を実行するステップを示す図であり、ＡＭの動作説明に不必要なステップは省略した。ＢＣＡＳＴサーバ１２０は、ＢＣＡＳＴサービスを提供するサーバであり、ステップ１２１でサービスガイド（Service guide：以下、“ＳＧ”と称する）を生成する。サービスガイドは、サービス及びコンテンツに関する説明、サービス及びコンテンツを受信するための方法、時間、及びセキュリティー（security）に関する情報を端末１１０に提供する。ステップ１２２において、ＢＣＡＳＴサーバ１２０は、ブロードキャストチャネル又は双方向チャネルを通してステップ１２１で生成されたＳＧを端末１１０に送信する。ステップ１２２において、ＳＧを送信したＢＣＡＳＴサーバは、ステップ１２３で視聴者測定に使用される命令語であるＡＭ命令語を生成する。該命令語の内容は、測定範囲、報告回数などを含み、ステップ１２４を通して端末１１０に送信される。
【００１６】
ステップ１２４において、送信されたメッセージは、ブロードキャストチャネル又は双方向チャネルを通して端末１１０に送信されることができる。送信方式は、ＢＣＡＳＴ通知（Notification）メッセージ、短文メッセージサービス（Short Message Service：ＳＭＳ）メッセージ又は個別のメッセージを使用することができる。また、ＡＭ命令語の送信時点は、ＢＣＡＳＴ  ＳＧの送信時点の前であってもよいが、本発明においては、ＡＭ命令語送信がＢＣＡＳＴ  ＳＧ送信の後に実行されると仮定する。ＡＭ実現位置に基づいて、ＢＣＡＳＴサーバ１２０は、ステップ１２５でＡＭ命令語をスマートカード１００に送信することができる。
【００１７】
スマートカード１００は、ブロードキャストサービスのセキュリティーソリューションのためのエンティティであり、ユニバーサルモバイル通信システム（Universal Mobile Telecommunications System：ＵＭＴＳ）加入者識別モジュール（Subscriber Identity Module：ＳＩＭ）又は類似したソフトウェア又はハードウェアであることができる。ステップ１１１でのＡＭ実行動作及びステップ１０１でのＡＭ実行動作は、端末１１０及びスマートカード１００でそれぞれ実行される差があるが、上述したＡＭで最も基本的な、誰が、どのサービスを、どこで、どのくらい見たかに関する基本的なＡＭ動作を実行する。
【００１８】
また、この結果は、ステップ１１２でのＡＭ結果報告又はステップ１０２でのＡＭ結果報告を通してＢＣＡＳＴサーバ１２０に報告される。ステップ１１２におけるＡＭ結果報告及びステップ１０２でのＡＭ結果報告は、ＢＣＡＳＴサーバ１２０の他に第３のサーバにも送信されることができる。このような場合には、第３のサーバのアドレスがステップ１２４におけるＡＭ命令語又はステップ１２５におけるＡＭ命令語に提供される。図１に示すように、端末１１０及びスマートカード１００は、ステップ１２４におけるＡＭ命令語又はステップ１２５におけるＡＭ命令語に従ってユーザが視聴するすべてのサービス及びコンテンツに対するユーザ消費形態を記録し報告する。世界の国の多数では、ユーザの敏感な情報が分かるデータの収集又は処理を行うことに対する強力な法律制裁を適用するが、既存の技術的条件の下では、このような法律制裁を避けることができる技術がないという問題がある。
【００１９】
図２及び図３は、本発明の実施形態に従ってユーザの敏感な情報を保護するための動作のフローチャートである。以下では、ＡＭが端末に実現される場合を第１の実施形態として説明し、ＡＭがスマートカードに実現される場合を第２の実施形態として説明する。
【００２０】
図２は、本発明の第１の実施形態に従ってＡＭが端末に実現される場合を示すフローチャートであり、図３は、本発明の第２の実施形態に従ってＡＭがスマートカードに実現される場合における動作のフローチャートである。
【００２１】
ステップ２２１において、ＢＣＡＳＴサーバ２２０はＳＧを生成した後に、ステップ２２２において特定のサービス又はコンテンツに対するＡＭ許容指示子（AM-allowed indicator）を挿入する。図４は、本発明の実施形態に従ってオープンモバイルアライアンスモバイルブロードキャスティングサービス（ＯＭＡ  ＢＣＡＳＴ）の“サービス”フラグメント（Service Fragment）に挿入したＡＭ許容指示子を示す図であり、“サービス”フラグメントの役割は、サービスに関する簡単な情報及びサービスが提供される言語及びブロードキャスト領域に関する情報を提供し、本発明の説明とは関係ない部分は、図４に図示しない。
【００２２】
図４において、“名称（Name）”は属性（Attribute）及び要素（Element）の名称を示し、“タイプ（Type）”は対応する情報が属性であるか又は要素であるかを示し、“カテゴリー（Category）”はサーバ及び端末が必ず送信又は受信を実行すべきであるか否かを示し、“カーディナリティ（Cardinality）”は対応する属性又は要素が何度反復されるか否かを示し、“ディスクリプション（description）”は属性又は要素に対する説明を示し、“データタイプ（date type）”は属性又は要素の表示形態を示す。
【００２３】
図５は、‘コンテンツ’フラグメントに挿入されたＡＭ許容指示子を示す図である。
【００２４】
図５の第１の行の“タイプ”、“カテゴリー”、“カーディナリティ”、及び“ディスクリプション”の定義は、図４と同一である。図４及び図５のＡＭ許容指示子のそれぞれは、対応するサービス又はコンテンツに対してＡＭを実行することができるか否かに関する指示子として機能する。ＡＭ許容指示子が真（true）の意味である“１”に設定される場合に、対応するサービス又はコンテンツに対してＡＭを実行することができ、ＡＭ許容指示子が“０”に設定される場合に、対応するサービス又はコンテンツに対してＡＭを実行することができない。
【００２５】
端末２１０は、ＡＭ許容指示子の指示内容に従って対応するサービス又はコンテンツに対してＡＭを実行するか否かを判定する。図４及び図５では、ＡＭ許容指示子が属性として提示され、そのカテゴリーが（ネットワークオプショナル／ターミナルオプショナル（ＮＯ／ＴＯ））として提案されても、そのカテゴリーは、様々な他のタイプで提供されてもよい。また、 図２において、ＢＣＡＳＴサーバ２２０は、ＡＭ許容指示子を挿入した後に、ステップ２２３でＳＧを送信する。ステップ２２３におけるＳＧ送信過程は、図１に示す過程と同様である。
【００２６】
端末２１０は、ステップ２１１においてＳＧを解釈した後に、それぞれのサービス及びコンテンツフラグメントでＡＭ許容指示子の値を判定する。ＢＣＡＳＴサーバ２２０は、ステップ２２４でＡＭ命令語を生成し、ステップ２２５でＡＭ命令語を送信する。ステップ２２４でのＡＭ命令語生成及びステップ２２５でのＡＭ命令語送信は図１に示す動作と同様である。ステップ２２５でＡＭ命令語を受信した端末２１０は、ステップ２１２でＡＭを実行し、図１との差異点は、端末２１０がＡＭ許容指示子値が肯定であるサービス又はコンテンツを除外してはＡＭを実行しない。
【００２７】
したがって、ユーザの敏感な情報、例えば、宗教、人種、及び性的指向などが明らかにできるようにするサービス又はコンテンツに対してＡＭを実行しないために、ユーザの敏感な情報を保護することができる。ＡＭ実行を終了した後に、ステップ２１３で、端末２１０は、ＡＭ結果をＢＣＡＳＴサーバ２２０に報告するか又はステップ２２５で生成されたＡＭ命令語からアドレスが提供された第３のサーバに送信する。
【００２８】
図３は、本発明の第２の実施形態に従ってＡＭ機能がスマートカード３００に実現される場合の動作を示す。ＢＣＡＳＴサーバ３２０の動作３２１、３２２、及び３２３は図２の動作２２１、２２２、及び２２３動作と同一であるので、その詳細な説明を省略する。端末３１０は、ＳＧを受信した後に、ステップ３１１でＳＧを解釈し、ＡＭ許容指示子値を抽出する。図３において、ＡＭ機能がスマートカード３００に実現されているためにＡＭ許容指示子値を端末３１０が使用せずスマートカード３００に送信しなければならない。
【００２９】
図６は、本発明の実施形態に従って図３のステップ３１２のようにＡＭ許容指示子値を送信する時に使用されるイベントメッセージを示す図である。このイベントメッセージは、スマートカード３００と端末３１０間で特別なイベントが発生する場合に相互間に交換するメッセージであり、従来では、サービス又はコンテンツに対するザッピング（zapping）が発生するか又はペアレンタルコントロール（Parental control）が実行される場合に使用されたが、本発明は、特定のサービス又はコンテンツに対するＡＭが許容されるか否かを通知するのに使用されることができるように提案する。
【００３０】
図６のイベントタイプは、イベントの特性を示し、本発明では、ＡＭ許容サービス／コンテンツ及びＡＭが許容されないサービス／コンテンツの新たな２種類のイベントを追加する。ＡＭ許容サービス／コンテンツイベントに対する値は、ＢＣＡＳＴ  ＳＧのサービスフラグメントから提供されるサービスの指示子又はＢＣＡＳＴ  ＳＧのコンテンツフラグメントから提供されるコンテンツの指示子である。図３を参照すると、サービスフラグメント又はコンテンツフラグメントから提供される指示子の他にスマートカード３００と端末３１０間のサービス及びコンテンツを明確に識別することができる指示子がある場合に、この指示子も使用されることができる。本発明がサービス又はコンテンツの値を任意のＵＲＩとして提案するが、ストリング又は他のデータ表現方式を使用することも可能である。スマートカード３００は、ステップ３１２で受信した情報に基づいてステップ３０１でＡＭ許容サービス及びコンテンツを把握した後に、ステップ３２５を通してＡＭ実行命令語を受信する。その後に、ステップ３０２において、スマートカード３００はＡＭを実行し、ステップ３０３でＡＭの結果をＢＣＡＳＴサーバ３２０に送信するか又はステップ３２５で受信したＡＭ命令語が提供した第３のサーバに送信する。図２の動作と同様に、ユーザの敏感な情報に対する測定結果が含まれていないことは自明である。
【００３１】
上述したように、本発明の方法は、プログラムとして実現され、記録媒体（例えば、ＣＤ−ＲＯＭ、ＲＡＭ、フロッピー（登録商標）ディスク、ハードディスク、光磁気ディスク、フラッシュメモリなど）に格納されてもよい。このような過程は、本発明が属する技術分野における通常の知識を有する者が容易に実施することができるのでこれ以上詳細に説明しない。
【００３２】
本発明のもう１つの実施形態によれば、ＡＭ許容指示子をサービスフラグメント及びコンテンツフラグメントに挿入するのではなく、ＡＭが許容されない指示子をサービスフラグメント及びコンテンツフラグメントに挿入するものである。ＡＭが許容されない指示子の位置は、図３及び図４に示すＡＭ許容指示子の位置と同一であってもよい。ＡＭが許容されない値が真である場合に、ＡＭ許容指示子は、対応するサービス又はコンテンツに対するＡＭが許容されないことを意味する。ＡＭが許容されない値が偽である場合に、ＡＭ許容指示子は、対応するサービス又はコンテンツに対するＡＭが許容されることを意味する。また、ＡＭが許容されないことが使用される場合に有することができる長所は、ＡＭが許容されない指示子が存在しない時に対応するサービス又はコンテンツに対するＡＭが暗黙的に許容されるものと解釈することができる。
【００３３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００３４】
１００、３００  スマートカード
１１０、２１０、３１０  端末
１２０、２２０、３２０  ＢＣＡＳＴサーバ
【図１】
0005529979.tif 000002
【図２】
0005529979.tif 000003
【図３】
0005529979.tif 000004
【図４】
0005529979.tif 000005
【図５】
0005529979.tif 000006
【図６】
0005529979.tif 000007